(57)【要約】【課題】除霜運転中に放熱器で熱を放熱することなく、かつ、沸上運転中に蓄えられた放熱器の熱を有効に利用することで、除霜運転を短時間で行うことができるヒートポンプ給湯機を提供すること。【解決手段】放熱器１２の冷媒入口と放熱器１２の冷媒出口との間と、減圧器１３の冷媒出口と蒸発器１４の冷媒入口との間を連通させる第１バイパス回路１７と、第１バイパス回路１７を流れる冷媒流量を調節する第１流量調整弁１８とを備えたヒートポンプ給湯機で、放熱器１２の低温部分に熱を奪われることのない圧縮機１１から吐出される冷媒の熱と、沸上運転中に放熱器の高温部分に蓄えられた熱の両方の熱を、蒸発器１４に供給でき、除霜運転を短時間で行うことが可能である。【選択図】図１
2009109069.tif 000002
【特許請求の範囲】
【請求項１】
圧縮機、放熱器、減圧器、蒸発器を備えた冷凍サイクル装置において、前記放熱器の冷媒入口と前記放熱器の冷媒出口との間と、前記減圧器の冷媒出口と前記蒸発器の冷媒入口との間を連通させる第１バイパス回路と、前記第１バイパス回路を流れる冷媒流量を調節する第１流量調整弁とを備えたことを特徴とするヒートポンプ給湯機。
【請求項２】
蒸発器の除霜を行う除霜運転時に、第１流量調整弁の開度を所定開度まで開けることを特徴とする請求項１に記載のヒートポンプ給湯機。
【請求項３】
圧縮機、放熱器、減圧器、蒸発器、前記圧縮機の冷媒出口と前記放熱器の冷媒入口との間と、前記減圧器の冷媒出口と前記蒸発器の冷媒入口との間を連通させる第２バイパス回路と、前記第２バイパス回路を流れる冷媒流量を調節する第２流量調整弁とを備えた冷凍サイクル装置において、前記蒸発器の除霜を行う除霜運転を開始し、除霜運転開始時から所定時間経過後、前記第２流量調整弁の開度を所定開度まで開けることを特徴とするヒートポンプ給湯機。
【請求項４】
圧縮機、放熱器、減圧器、蒸発器、前記圧縮機の冷媒出口と前記放熱器の冷媒入口との間と、前記減圧器の冷媒出口と前記蒸発器の冷媒入口との間を連通させる第２バイパス回路と、前記第２バイパス回路を流れる冷媒流量を調節する第２流量調整弁とを備えた冷凍サイクル装置において、前記蒸発器の除霜を行う除霜運転を開始し、前記圧縮機の冷媒出口温度が所定値以下のとき、前記第２流量調整弁の開度を所定開度まで開けることを特徴とするヒートポンプ給湯機。
【請求項５】
圧縮機、放熱器、減圧器、蒸発器、前記圧縮機の冷媒出口と前記放熱器の冷媒入口との間と、前記減圧器の冷媒出口と前記蒸発器の冷媒入口との間を連通させる第２バイパス回路と、前記第２バイパス回路を流れる冷媒流量を調節する第２流量調整弁とを備えた冷凍サイクル装置において、前記蒸発器の除霜を行う除霜運転を開始し、前記蒸発器の冷媒入口から冷媒出口までのいずれかの冷媒温度が所定値以上のとき、前記第２流量調整弁の開度を所定開度まで開けることを特徴とするヒートポンプ給湯機。
【発明の詳細な説明】
【技術分野】
【０００１】
本発明は、加熱した湯を貯湯タンクに蓄えて給湯を行うヒートポンプ給湯機に関し、特に蒸発器の除霜運転方法に関する。
【背景技術】
【０００２】
従来のヒートポンプ給湯機は、冷凍サイクルを利用して水を加熱する熱源ユニットと貯湯タンクユニットとから構成されている。熱源ユニットは、冷媒を高温、高圧に圧縮する圧縮機と、圧縮機で圧縮された冷媒により低温の水を加熱する放熱器と、放熱器で冷却された冷媒を減圧する減圧器と、減圧器で減圧した冷媒を蒸発させる蒸発器とを備えている。
【０００３】
熱源ユニットと貯湯タンクユニットとは、貯湯タンクユニット内に備えられた貯湯タンクの下部の低温の水が、熱源ユニット内の放熱器に供給され、その後、放熱器で加熱された湯が、貯湯タンクの上部に供給されるように、給水ポンプを介して水配管により接続されている。
【０００４】
このようなヒートポンプ給湯機において、低温の水をお湯に加熱する沸上運転を継続すると、外気温度が低い場合には蒸発器に着霜が生じ、加熱能力が低下することがある。
【０００５】
従来、蒸発器についた霜を除霜する方法として、放熱器に貯湯タンク内の水を搬送する給水ポンプを停止するとともに減圧器の開度を通常運転時より大きくする方法が提案されている（例えば、特許文献１参照）。
【０００６】
これによれば、圧縮機で吐出された高温冷媒が放熱器で放熱する熱エネルギー量を少なくでき、かつ、減圧器での減圧による温度低下を小さくできるために、圧縮機より吐出された高温冷媒が大きく温度低下することなく蒸発器まで到達して、除霜を行うことができるとされている。
【０００７】
また、別の従来の除霜方法として、放熱器を通さずに圧縮機の冷媒出口から蒸発器に高圧冷媒が流れるようにバイパス回路を構成し、さらにバイパス回路に電磁弁等の流量調整弁を配置し、除霜運転時にはこの流量調整弁を開とし、高温冷媒を蒸発器に導入させる除霜方法も提案されている（例えば、特許文献２参照）。
【特許文献１】特開２００１−８２８０２号公報
【特許文献２】特開２００１−１０８２５６号公報
【発明の開示】
【発明が解決しようとする課題】
【０００８】
近年、省エネルギー化の観点から、除霜運転を短時間に効率よく実施することが求められている。特許文献１に記載の技術によれば、給水ポンプを停止したとしても、放熱器の一部には低温の水が滞留しているために、除霜運転時に、圧縮機から吐出された高温冷媒の熱が放熱器内の低温の水に奪われてしまい、除霜運転時間が長くなるという課題がある。
【０００９】
また、特許文献２に記載の技術によれば、沸上運転中に放熱器に蓄えた熱を利用することができないため、除霜運転時間が長くなるという課題がある。
【００１０】
上記事情に鑑み、本発明は、除霜運転中に放熱器で熱を放熱することなく、かつ、沸上
運転中に蓄えられた放熱器の熱を有効に利用することで、除霜運転を短時間で行うことができるヒートポンプ給湯機を提供することを目的とする。
【課題を解決するための手段】
【００１１】
前記従来の課題を解決するために、本発明は、放熱器の冷媒入口と放熱器の冷媒出口との間と、減圧器の冷媒出口と蒸発器の冷媒入口との間を連通させる第１バイパス回路と、第１バイパス回路を流れる冷媒流量を調節する第１流量調整弁とを備えたヒートポンプ給湯機で、放熱器の低温部分に熱を奪われることのない圧縮機から吐出される冷媒の熱と、沸上運転中に放熱器の高温部分に蓄えられた熱の両方の熱を、蒸発器に供給でき、除霜運転を短時間で行うことが可能である。
【００１２】
また、本発明は、圧縮機の冷媒出口と放熱器の冷媒入口との間と減圧器の冷媒出口と蒸発器の冷媒入口との間を連通させる第２バイパス回路と、第２バイパス回路を流れる冷媒流量を調節する第２流量調整弁とを備え、蒸発器の除霜を行う除霜運転を開始し、除霜運転開始時から所定時間経過後、第２流量調整弁の開度を所定開度まで開けるヒートポンプ給湯機で、沸上運転中に放熱器の高温部分に蓄えられた熱がある間は、放熱器の高温部分に蓄えられた熱を、蒸発器に供給でき、その後、放熱器の高温部分に蓄えられた熱がなくなった後には、放熱器の低温部で熱を奪われることなく、圧縮機から吐出される冷媒の熱を蒸発器に供給できるため、除霜運転を短時間で行うことが可能である。
【００１３】
また、本発明は、圧縮機の冷媒出口と放熱器の冷媒入口との間と減圧器の冷媒出口と蒸発器の冷媒入口との間を連通させる第２バイパス回路と、第２バイパス回路を流れる冷媒流量を調節する第２流量調整弁とを備え、蒸発器の除霜を行う除霜運転を開始し、前記圧縮機の冷媒出口温度が所定値以下のとき、第２流量調整弁の開度を所定開度まで開けるヒートポンプ給湯機で、沸上運転中に放熱器の高温部分に蓄えられた熱がある間は、放熱器の高温部分に蓄えられた熱を、蒸発器に供給でき、その後、放熱器の高温部分に蓄えられた熱がなくなった後には、放熱器の低温部で熱を奪われることなく、圧縮機から吐出される冷媒の熱を蒸発器に供給できるため、除霜運転を短時間で行うことが可能である。
【００１４】
また、本発明は、圧縮機の冷媒出口と放熱器の冷媒入口との間と減圧器の冷媒出口と蒸発器の冷媒入口との間を連通させる第２バイパス回路と、第２バイパス回路を流れる冷媒流量を調節する第２流量調整弁とを備え、蒸発器の除霜を行う除霜運転を開始し、前記蒸発器の冷媒入口から冷媒出口までのいずれかの冷媒温度が所定値以上のとき、第２流量調整弁の開度を所定開度まで開けるヒートポンプ給湯機で、沸上運転中に放熱器の高温部分に蓄えられた熱がある間は、放熱器の高温部分に蓄えられた熱を、蒸発器に供給でき、その後、放熱器の高温部分に蓄えられた熱がなくなった後には、放熱器の低温部で熱を奪われることなく、圧縮機から吐出される冷媒の熱を蒸発器に供給できるため、除霜運転を短時間で行うことが可能である。
【発明の効果】
【００１５】
本発明によれば、除霜運転を短時間で行うことができ、効率よく水を加熱できるヒートポンプ給湯機を提供できる。
【発明を実施するための最良の形態】
【００１６】
第１の発明は、放熱器の冷媒入口と放熱器の冷媒出口との間と、減圧器の冷媒出口と蒸発器の冷媒入口との間を連通させる第１バイパス回路と、第１バイパス回路を流れる冷媒流量を調節する第１流量調整弁とを備えているために、放熱器の低温部分に熱を奪われることのない圧縮機から吐出される冷媒の熱と、沸上運転中に放熱器の高温部分に蓄えられた熱の両方の熱を、蒸発器に供給でき、除霜運転を短時間で行うことが可能なヒートポンプ給湯機である。
【００１７】
第２の発明は、第１の発明において、除霜運転時に、第１流量調整弁の開度を所定開度まで開けることで、放熱器の低温部分に熱を奪われることのない圧縮機から吐出される冷媒の熱と、沸上運転中に放熱器の高温部分に蓄えられた熱の両方の熱を、蒸発器に供給でき、除霜運転を短時間で行うことが可能なヒートポンプ給湯機である。
【００１８】
第３の発明は、圧縮機の冷媒出口と放熱器の冷媒入口との間と減圧器の冷媒出口と蒸発器の冷媒入口との間を連通させる第２バイパス回路と、第２バイパス回路を流れる冷媒流量を調節する第２流量調整弁とを備え、蒸発器の除霜を行う除霜運転を開始し、所定のバイパス条件成立後、第２流量調整弁の開度を所定開度まで開けることで、沸上運転中に放熱器の高温部分に蓄えられた熱がある間は、放熱器の高温部分に蓄えられた熱を、蒸発器に供給でき、その後、放熱器の高温部分に蓄えられた熱がなくなった後には、放熱器の低温部で熱を奪われることなく、圧縮機から吐出される冷媒の熱を蒸発器に供給できるため、除霜運転を短時間で行うことが可能なヒートポンプ給湯機である。
【００１９】
第４の発明は、圧縮機の冷媒出口と放熱器の冷媒入口との間と減圧器の冷媒出口と蒸発器の冷媒入口との間を連通させる第２バイパス回路と、第２バイパス回路を流れる冷媒流量を調節する第２流量調整弁とを備え、蒸発器の除霜を行う除霜運転を開始し、前記圧縮機の冷媒出口温度が所定値以下のとき、第２流量調整弁の開度を所定開度まで開けるヒートポンプ給湯機で、沸上運転中に放熱器の高温部分に蓄えられた熱がある間は、放熱器の高温部分に蓄えられた熱を、蒸発器に供給でき、その後、放熱器の高温部分に蓄えられた熱がなくなった後には、放熱器の低温部で熱を奪われることなく、圧縮機から吐出される冷媒の熱を蒸発器に供給できるため、除霜運転を短時間で行うことが可能である。
【００２０】
第５の発明は、圧縮機の冷媒出口と放熱器の冷媒入口との間と減圧器の冷媒出口と蒸発器の冷媒入口との間を連通させる第２バイパス回路と、第２バイパス回路を流れる冷媒流量を調節する第２流量調整弁とを備え、蒸発器の除霜を行う除霜運転を開始し、前記蒸発器の冷媒入口から冷媒出口までのいずれかの冷媒温度が所定値以上のとき、第２流量調整弁の開度を所定開度まで開けるヒートポンプ給湯機で、沸上運転中に放熱器の高温部分に蓄えられた熱がある間は、放熱器の高温部分に蓄えられた熱を、蒸発器に供給でき、その後、放熱器の高温部分に蓄えられた熱がなくなった後には、放熱器の低温部で熱を奪われることなく、圧縮機から吐出される冷媒の熱を蒸発器に供給できるため、除霜運転を短時間で行うことが可能である。
【００２１】
以下、添付の図面を参照しつつ本発明の実施の形態について説明する。なお、この実施の形態によって本発明が限定されるものではない。
【００２２】
（実施の形態１）
図１は、第１の実施の形態にかかるヒートポンプ給湯機の構成概略図である。ヒートポンプ給湯機は、冷凍サイクルを利用して水を加熱する熱源ユニット１００と貯湯タンクユニット１１０とから構成されている。熱源ユニット１００は、冷媒を高温、高圧に圧縮する圧縮機１１と、圧縮機１１で圧縮された冷媒により低温の水を加熱する放熱器１２と、放熱器１２で冷却された冷媒を減圧する減圧器１３と、減圧器１３で減圧した冷媒を蒸発させる蒸発器１４とを備えている。
【００２３】
圧縮機１１、放熱器１２、減圧器１３および蒸発器１４は、この順番で冷媒が循環するように冷媒配管１６によって相互に接続され冷凍サイクル回路を構成している。冷凍サイクル回路には、二酸化炭素（Ｒ７４４）が冷媒として充填されている。また、蒸発器１４に隣接する形でファン１５が設けられている。ファン１５は、蒸発器１４で冷媒と熱交換するべき空気を蒸発器１４に供給する。
【００２４】
熱源ユニット１００と貯湯タンクユニット１１０とは、貯湯タンクユニット１１０内に備えられた貯湯タンク３０の下部の低温の水が、熱源ユニット１００内の放熱器１２に供給され、その後、放熱器１２で加熱された湯が、貯湯タンク３０の上部に供給されるように、給水ポンプ３１を介して水配管３２により接続されている。
【００２５】
放熱器１２は、主に、冷媒流路１２ａ、水流路１２ｂから構成されている。冷媒流路１２ａと水流路１２ｂは、それぞれの管内を流れる冷媒と水が対向流となるように流れ、効率よく冷媒と水が熱交換するように構成されている。すなわち、冷媒は、冷媒入口部１２ａ１から流入し、冷媒出口部１２ａ２より流出する。
【００２６】
一方、水は、水入口部１２ｂ１から流入し、水出口部１２ｂ２よりお湯となって流出する。したがって、沸上運転中の放熱器１２のうちは、冷媒入口部１２ａ１と水出口部１２ｂ２とを含む側は高温となる一方、冷媒出口部１２ａ２と水入口部１２ｂ２とを含む側は低温となっている（以降、冷媒入口部１２ａ１と水出口部１２ｂ２とを含む側は放熱器高温部１２１、冷媒出口部１２ａ２と水入口部１２ｂ１とを含む側は放熱器低温部１２２と呼ぶ）。
【００２７】
また、この冷凍サイクル回路は、放熱器１２の冷媒入口部１２ａ１と冷媒出口部１２ａ２との間と、減圧器１３の冷媒出口と蒸発器１４の冷媒入口との間を連通させる第１バイパス回路１７を備えている。また、第１バイパス回路１７には、第１バイパス回路１７を流れる冷媒流量を調節する第１流量調整弁１８が設けられている。
【００２８】
さらに、圧縮機１１の出口から放熱器１２の冷媒入口部１２ａ１までのいずれかの位置での冷媒温度を検知する吐出温度検知手段１９と、蒸発器１４の冷媒入口から冷媒出口までのいずれかの位置での冷媒温度を検知する蒸発器温度検知手段２０が設けられている。
【００２９】
また、吐出温度検知手段１９や蒸発器温度検知手段２０の検知値などに基づき、減圧器１３の開度や第１流量調整弁１８の開度を制御したり、さらには、ファン１５の回転数や給水ポンプ３１の回転数などを制御する電子制御手段２１を備えている。
【００３０】
なお、圧縮機１１には、スクロール式、レシプロ式、ロータリ式などの容積式の流体機構を採用できる。放熱器１２には、二重管式、プレート式などの熱交換器が採用できる。蒸発器１４は、フィンチューブ型熱交換器に代表される空気熱交換器である。
【００３１】
次に、上述のように構成されたヒートポンプ給湯機の動作について説明する。まず、低温の水を加熱し、生成されたお湯を貯湯タンク３０に蓄える沸上運転について説明する。
【００３２】
冷媒は、圧縮機１１により臨界圧力を超える圧力まで圧縮される。圧縮された冷媒は、高温高圧状態となり、放熱器１２の冷媒流路１２ａを流れる際に、放熱器１２の水流路１２ｂを流れる水に放熱し冷却される。沸上運転時には、第１流量調整弁１８は、全閉状態となるように制御されており、第１バイパス回路１７へは冷媒は流れない。放熱器１２を流出した冷媒は減圧器１３で減圧され低温低圧の気液二相状態となり、蒸発器１４に供給される。蒸発器１４で、冷媒は、ファン１５によって送り込まれた外気によって加熱され、気液二相またはガス状態となる。蒸発器１４を流出した冷媒は、再び、圧縮機１１に吸入される。
【００３３】
一方、水は、給湯タンク３０の底部から給水ポンプ３１により放熱器１２の水流路１２ｂへ送り込まれ、放熱器１２の冷媒流路１２ａを流れる冷媒により加熱され、高温のお湯となる。そのお湯は水配管３２を通って、貯湯タンク３０の頂部から貯められる。
【００３４】
次に、除霜運転について説明する。ヒートポンプ給湯機は、外気温度が低い場合に、沸上運転を継続していると、蒸発器１４に霜が生じ、加熱能力が低下する恐れがある。除霜運転とは、そのような場合に、蒸発器１４の霜を融解する運転である。
【００３５】
外気温度を検知する外気温度検知手段（図示せず）や蒸発器温度検知手段２０などの信号により、電子制御手段２１が蒸発器１４の除霜が必要と判断した場合には、通常運転から除霜運転に切り換えられ、ファン１５、給水ポンプ３１、第１流量調整弁１８などに制御信号が送られる。
【００３６】
ファン１５、給水ポンプ３１、第１流量調整弁１８の動作について、図２を用いて説明する。除霜運転に切り換わると、ファン１５および給水ポンプ３１を停止させ、第１流量調整弁１８の開度を所定開度（Ｂｙｐａｓｓ１）まで開ける。これによれば、除霜運転中には、圧縮機１１を出た高温高圧の冷媒は、放熱器１２の放熱器高温部１２１に流入した後、第１バイパス回路１７を流れて、蒸発器１４に供給される。蒸発器１４で、高温の冷媒の熱により霜を融かす。そして、蒸発器１４を流出した冷媒は、再び、圧縮機１１に吸入される。
【００３７】
本実施の形態では、ファン１５を停止することにより、蒸発器１４で冷媒と空気が熱交換することを低減でき、蒸発器１４に付着した霜へ冷媒の熱を効率よく伝えることができる。また、給水ポンプ３１を停止させることにより、放熱器１２で冷媒と水とが行う熱交換を低減させ、圧縮機から吐出された高温冷媒の熱から水に放熱してしまう熱量を低減できる。さらに、給水ポンプ３１を停止させることにより、沸上運転中に高温となっている放熱器高温部１２１から、低温となっている放熱器低温部１２２への熱の移動を低減できる。
【００３８】
さらに、第１流量調整弁１８の開度を所定開度（Ｂｙｐａｓｓ１）まで開けることによる効果を説明する。除霜運転中に圧縮機１１から吐出される冷媒の温度は、放熱器低温部１２２の温度より高温である。しかし、沸上運転中に放熱器高温部１２１に蓄えられた熱の温度の方が、除霜運転中に圧縮機１１から吐出される冷媒の温度より高温である。したがって、圧縮機１１から吐出された冷媒が放熱器高温部１２１を通りことにより、冷媒に沸上運転中に蓄えられた熱が与えられる。
【００３９】
その冷媒は、第１バイパス流路１７を通って、直接、蒸発器１４に供給される。特に、本実施の形態では、放熱器低温部１２２を通過してように第１バイパス回路１７を構成しているために、放熱器低温部１２２で熱を奪われることがない。したがって、放熱器低温部１２２に熱を奪われることのない圧縮機１１から吐出される冷媒の熱と、沸上運転中に放熱器高温部１２１に蓄えられた熱の両方の熱を、蒸発器１４に供給でき、除霜運転を短時間で行うことが可能である。
【００４０】
なお、除霜運転中に、減圧器１３の開度を閉じる方向に操作することは、第１バイパス回路１７を流れる冷媒流量をより多くできるので望ましい。
【００４１】
（実施の形態２）
第２の実施の形態を、図３のヒートポンプ給湯機の構成概略図、および、図４のタイムチャートを用いて説明する。なお、図３において、図１と同様の構成部品には同じ番号を付し、説明を省略する。
【００４２】
図３のように、熱源ユニット１０１の冷凍サイクル回路には、圧縮機１１の冷媒出口と放熱器１２の冷媒入口との間と、減圧器１３の冷媒出口と蒸発器１４の冷媒入口との間を
連通させる第２バイパス回路２７を備えている。また、第２バイパス回路２７には、第２バイパス回路２７を流れる冷媒流量を調節する第２流量調整弁２８が設けられている。
【００４３】
次に、上述のように構成されたヒートポンプ給湯機の動作について説明する。まず、沸上運転について説明する。沸上運転時には、第２流量調整弁２８は、全閉状態となるように制御されており、第２バイパス回路２７へは冷媒は流れない。したがって、圧縮機１１を出た高温高圧の冷媒は、放熱器１２の冷媒流路１２ａを流れる際に、放熱器１２の水流路１２ｂを流れる水に放熱し冷却される。放熱器１２を流出した冷媒は減圧器１３で減圧され低温低圧の気液二相状態となる。減圧器１３で減圧された冷媒は蒸発器１４に供給される。蒸発器１４で、冷媒は、ファン１５によって送り込まれた外気によって加熱され、気液二相またはガス状態となる。蒸発器１４を流出した冷媒は、再び、圧縮機１１に吸入される。
【００４４】
次に、除霜運転について説明する。外気温度を検知する外気温度検知手段（図示せず）や蒸発器温度検知手段２０などの信号により、電子制御手段２１が蒸発器１４の除霜が必要と判断した場合には、通常運転から除霜運転に切り換えられ、ファン１５、給水ポンプ３１、第２流量調整弁２８などに制御信号が送られる。ファン１５、給水ポンプ３１、第２流量調整弁２８の動作について、図４を用いて説明する。
【００４５】
除霜運転に切り換わると、ファン１５および給水ポンプ３１を停止させる。除霜運転中に、所定のバイパス条件が成立すると、第２流量調整弁の開度を所定開度（Ｂｙｐａｓｓ２）まで開ける。バイパス条件としては、除霜運転開始時から所定時間（ｔ１−ｔ０）が経過すること、ｂ）吐出温度検知手段１９が所定値以下となること、および、ｃ）蒸発器温度検知手段２０の検知値が所定値以上となることからなる群より選ばれる少なくとも１つの条件とすることができる。
【００４６】
なお、図４に示す手順では、ａ）の条件をバイパス条件として採用している。これによれば、バイパス条件成立後に、第２流量調整弁２８の開度を所定開度（Ｂｙｐａｓｓ２）まで開けることにより、除霜運転開始後からバイパス条件が成立するまでは、圧縮機１１から吐出された冷媒は、放熱器１２に供給され、放熱器高温部１２１で沸上運転中に蓄えられた熱を与えられた後、蒸発器１４に供給され、蒸発器１４の霜を融かす。そして、放熱器高温部１２１から供給される熱量が低下したことを判定できるように予め設定されたバイパス条件が成立した後には、圧縮機１１を出た冷媒は、第２バイパス回路２７を流れて、直接、蒸発器１４に供給され、蒸発器１４の霜を融かす。
【００４７】
したがって、沸上運転中に放熱器高温部１２１に蓄えられた熱がある間は、放熱器高温部１２１に蓄えられた熱を、蒸発器１４に供給できる。その後、放熱器高温部１２１に蓄えられた熱がなくなった後には、放熱器低温部１２２で熱を奪われることなく、圧縮機１１から吐出される冷媒の熱を蒸発器１４に供給できる。このため、除霜運転を短時間で行うことが可能である。
【００４８】
なお、第２流量調整弁２８の開度を所定開度（Ｂｙｐａｓｓ２）まで開けた際に、減圧器１３の開度を閉じる方向に操作することは、第２バイパス回路２７を流れる冷媒流量をより多くできるので望ましい。
【００４９】
なお、以上の実施の形態において、第１流量調整弁１８、第２流量調整弁２８は、開か閉かのいずれかを選択できる電磁弁であってもよいし、開度に応じて流れる冷媒流量を調整できる電動膨張弁であってもよい。また、除霜運転中に、ファン１５および給水ポンプ３１は、完全に停止させなくてよく、冷媒と空気、あるいは、冷媒と水の熱交換を低減できればよい。
【産業上の利用可能性】
【００５０】
本発明のヒートポンプ給湯機は、家庭用、業務用を問わず広い用途に適用することができる。
【図面の簡単な説明】
【００５１】
【図１】本発明の実施の形態１におけるヒートポンプ給湯機の概略構成図
【図２】同除霜運転手順のタイムチャート
【図３】本発明の実施の形態２におけるヒートポンプ給湯機の概略構成図
【図４】同除霜運転手順のタイムチャート
【符号の説明】
【００５２】
１１  圧縮機
１２  放熱器
１３  減圧器
１４  蒸発器
１５  ファン
１７  第１バイパス回路
１８  第１流量調整弁 
１９  吐出温度検知手段
２０  蒸発器温度検知手段
２１  電子制御手段
２７  第２バイパス回路
２８  第２流量調整弁
３０  貯湯タンク
３１  給水ポンプ
１００、１０１  熱源ユニット
１１０  貯湯タンクユニット
【図１】
2009109069.tif 000003
【図２】
2009109069.tif 000004
【図３】
2009109069.tif 000005
【図４】
2009109069.tif 000006